(57)【特許請求の範囲】
【請求項１】
各種の表示画像を表示する表示部と、
前記表示部で表示している画像を特定して質問された質問内容および質問対象ページを含む質問情報に対して識別管理情報を付加して管理する質問管理部と、
前記質問情報を基に質問画像を作成する質問画像作成部と、
外部から各種の要求を受け付ける操作部と、
前記操作部を介して質問の表示要求があった場合、前記識別管理情報を基に表示対象となる前記質問対象ページの表示順番を特定し、前記表示順番に従って前記質問対象ページに対応する前記表示画像と前記質問画像とを合成した合成画像を前記表示部に表示するページ管理部と、
を備え、
前記質問情報は、質問対象位置を特定する質問対象位置情報と、質問表示位置を特定する質問表示位置情報とを含んでおり、
前記ページ管理部は、前記質問対象位置情報および前記質問表示位置情報に基づく前記質問画像を１つの質問ごとに作成する、
ことを特徴とする情報表示装置。
【請求項２】
前記ページ管理部は、同じ質問対象ページ毎にまとめるように前記合成画像を並べ替える、
ことを特徴とする請求項１記載の情報表示装置。
【請求項３】
前記ページ管理部は、前記質問対象ページが１ページから順番に、かつ連続になるように前記合成画像を並べ替える、
ことを特徴とする請求項１記載の情報表示装置。
【請求項４】
前記識別管理情報は、質問者を識別する質問者識別情報を含み、
前記ページ管理部は、前記質問者識別情報に基づいて同じ質問者が連続になるように前記合成画像を並べ替える、
ことを特徴とする請求項１記載の情報表示装置。
【請求項５】
前記ページ管理部は、質問数が多い前記質問対象ページ毎にページ順に前記合成画像を並べ替える、
ことを特徴とする請求項１記載の情報表示装置。
【請求項６】
前記質問情報は、質問者が指定した質問の優先度を示す優先度情報を含んでおり、
前記ページ管理部は、前記優先度情報に基づいて質問の優先度が高い順に前記合成画像を並べ替える、
ことを特徴とする請求項１記載の情報表示装置。
【請求項７】
前記質問情報は、当該質問情報が前記質問画像として表示されたか否か、または再表示を示す表示フラグを含んでおり、
前記ページ管理部は、前記表示フラグに基づいて未表示や表示済みだが再確認が必要な前記質問情報を含む前記合成画像を表示対象とする、
ことを特徴とする請求項１記載の情報表示装置。
【請求項８】
前記質問情報は、質問者の名前を表示するか否かが指定された質問者名表示可否情報を含んでおり、
前記ページ管理部は、前記質問者名表示可否情報に基づいて質問毎に質問者の名前を表示するか否かを決定する、
ことを特徴とする請求項１ないし７のいずれか一記載の情報表示装置。
【請求項９】
前記質問情報は、前記質問内容が前記質問画像の表示領域内に入らない場合、当該表示領域内に収めるために字を小さくするか、小さくせずに前記質問内容の一部を表示するかが指定された質問表示優先度情報を含んでおり、
前記ページ管理部は、前記質問表示優先度情報に基づいて質問毎に前記質問内容の表示方法を決定する、
ことを特徴とする請求項１ないし８のいずれか一記載の情報表示装置。
【請求項１０】
前記表示部で表示している画像に対して、前記質問対象ページを特定して前記質問内容を入力する入力部と、
前記入力部により入力された前記質問内容および前記質問対象ページを含む前記質問情報を作成する質問情報作成部と、
を更に備えることを特徴とする請求項１ないし９のいずれか一記載の情報表示装置。
【請求項１１】
前記表示部で表示している画像に対して、前記質問対象ページを特定して前記質問内容を入力する入力部と、
前記入力部により入力された前記質問内容および前記質問対象ページを含む前記質問情報を作成する質問情報作成部と、
を更に備え、
前記質問情報は、質問者が指定した質問の優先度を示す優先度情報、当該質問情報が前記質問画像として表示されたか否か、または再表示を示す表示フラグ、前記質問内容が前記質問画像の表示領域内に入らない場合、当該表示領域内に収めるために字を小さくするか、小さくせずに前記質問内容の一部を表示するかが指定された質問表示優先度情報、および、質問者の名前を表示するか否かが指定された質問者名表示可否情報のうちの少なくとも１以上を含んでおり、
前記入力部は、前記優先度情報と前記表示フラグと前記質問者名表示可否情報と前記質問表示優先度情報とのうち、少なくとも１以上を入力し、
前記質問情報作成部は、前記優先度情報と前記表示フラグと前記質問者名表示可否情報と前記質問表示優先度情報とのうち、少なくとも１以上を前記質問情報に含める、
ことを特徴とする請求項１記載の情報表示装置。
【請求項１２】
質問入力装置と、情報処理装置と、情報表示装置とを備えたシステムであって、
前記質問入力装置は、
表示画像に対して、質問対象ページを特定して質問内容を入力する入力部と、
前記入力部により入力された前記質問内容および前記質問対象ページを含む質問情報を作成する質問情報作成部と、
前記質問情報作成部で作成された前記質問情報を前記情報処理装置に対して送信する第１通信部と、を備え、
前記情報処理装置は、
前記質問情報を前記質問入力装置から受信する第２通信部と、
前記質問情報に対して識別管理情報を付加して管理する質問管理部と、
前記質問情報を基に質問画像を作成する質問画像作成部と、
外部から各種の要求を受け付ける操作部と、
前記操作部を介して質問の表示要求があった場合、前記識別管理情報を基に表示対象となる前記質問対象ページの表示順番を特定し、前記表示順番に従って前記質問対象ページに対応する前記表示画像と前記質問画像とを合成した合成画像の表示を前記情報表示装置に対して要求するページ管理部と、
前記合成画像の表示要求を前記情報表示装置へ送信する第３通信部と、を備え、
前記質問情報は、質問対象位置を特定する質問対象位置情報と、質問表示位置を特定する質問表示位置情報とを含んでおり、
前記ページ管理部は、前記質問対象位置情報および前記質問表示位置情報に基づく前記質問画像を１つの質問ごとに作成し、
前記情報表示装置は、
前記合成画像の表示要求を前記情報処理装置から受信する第４通信部と、
各種の表示画像を表示する表示部と、を備え、
前記表示部は、前記合成画像の表示要求を前記第４通信部で受信した場合、当該表示要求に従い、前記合成画像を表示する、
ことを特徴とするシステム。
【発明の詳細な説明】
【技術分野】
【０００１】
本発明は、情報表示装置、質問入力装置およびシステムに関する。
【背景技術】
【０００２】
従来、オフィスや大学で行われる講義や説明会あるいは打ち合わせ等で、説明資料を事前に人数分印刷して配布しつつ、情報投映装置としてのプロジェクタを利用して、ＰＣ（Personal  Computer）上で作成した説明資料をスクリーンに投映するといった場面がある。このような場面には、ＰＣとプロジェクタとを、有線または無線で接続したプロジェクション関連の技術や、ＰＣからの資料の印刷という既存の技術を用いている。
【０００３】
一般的に、上述のようなプロジェクタを利用して複数のページにわたる資料を参照しながら説明が行われるプレゼンテーションにおいては、発表者の説明終了後に質問者が質問対象のページを指定した上で発表者に質問することが多い。しかしながら、このような場合、発表者は質問対象のページを表示させるための操作が求められ、質問対象のページを表示させることには手間がかかる。
【０００４】
そこで、その手間を軽減するため、次の方法が考えられている。例えば、特許文献１には、質問者が予め質問対象のページを指定して質問内容を端末からサーバに送信し、サーバは資料に質問内容を結び付けて保存しておき、質疑応答時には、資料表示領域とは別に質問表示領域を設けて、資料と質問を合わせて表示する技術が開示されている。
【発明の概要】
【発明が解決しようとする課題】
【０００５】
しかしながら、特許文献１に開示された技術のように、資料表示領域とは別に質問表示領域を設けても、あるページに関する質問がまとめて表示されるため、質問の表示順番を工夫することはできない。また、資料表示領域が小さくなり、資料が見づらいという問題があり、質問対象のページとのうちどの部分についての質問なのかが分からず、発表者が回答しづらいため、効率的な議論がしづらいという問題がある。
【０００６】
本発明は、上記に鑑みてなされたものであって、質疑応答時の質問順番を工夫することを目的とする。
【課題を解決するための手段】
【０００７】
上述した課題を解決し、目的を達成するために、本発明の情報表示装置は、各種の表示画像を表示する表示部と、前記表示部で表示している画像を特定して質問された質問内容および質問対象ページを含む質問情報に対して識別管理情報を付加して管理する質問管理部と、前記質問情報を基に質問画像を作成する質問画像作成部と、外部から各種の要求を受け付ける操作部と、前記操作部を介して質問の表示要求があった場合、前記識別管理情報を基に表示対象となる前記質問対象ページの表示順番を特定し、前記表示順番に従って前記質問対象ページに対応する前記表示画像と前記質問画像とを合成した合成画像を前記表示部に表示するページ管理部と、を備え、前記質問情報は、質問対象位置を特定する質問対象位置情報と、質問表示位置を特定する質問表示位置情報とを含んでおり、前記ページ管理部は、前記質問対象位置情報および前記質問表示位置情報に基づく前記質問画像を１つの質問ごとに作成することを特徴とする。
【発明の効果】
【０００８】
本発明によれば、質問者が送信する質問情報を元に、発表後の質疑応答で表示する質問の順番を工夫することができるという効果を奏する。
【図面の簡単な説明】
【０００９】
【図１】図１は、情報投映システムのシステム構成を示すブロック図である。
【図２】図２は、情報投映装置および質問入力装置の構成を示す機能ブロック図である。
【図３】図３は、質問情報の登録処理を示すシーケンス図である。
【図４】図４は、質問情報作成時の入力例を示す説明図である。
【図５】図５は、質問情報の一例を示す模式図である。
【図６】図６は、質問情報のデータ構造を示す模式図である。
【図７】図７は、質問情報の一例を示す模式図である。
【図８】図８は、質問画像と表示画像との合成処理を示すシーケンス図である。
【図９】図９は、表示対象となる質問情報の特定処理の流れを示すフローチャートである。
【図１０】図１０は、質問情報の一例を示す模式図である。
【図１１】図１１は、質問情報の一例を示す模式図である。
【図１２】図１２は、質問画像の作成手法を示す模式図である。
【図１３】図１３は、表示画像に対する質問画像の合成処理の流れを示すフローチャートである。
【図１４】図１４は、プレゼンテーション実施中の表示画像と、プレゼンテーション後に表示される合成画像とを示す図である。
【図１５】図１５は、プレゼンテーション後に表示される合成画像を示す図である。
【図１６】図１６は、プレゼンテーション後に表示される合成画像を示す図である。
【図１７】図１７は、プレゼンテーション後に表示される合成画像を示す図である。
【図１８】図１８は、プレゼンテーション後に表示される合成画像を示す図である。
【図１９】図１９は、プレゼンテーション後に表示される合成画像を示す図である。
【図２０】図２０は、プレゼンテーション後に表示される合成画像を示す図である。
【図２１】図２１は、プレゼンテーション後に表示される合成画像を示す図である。
【図２２】図２２は、プレゼンテーション後に表示される合成画像を示す図である。
【図２３】図２３は、情報投映装置の構成を示す機能ブロック図である。
【図２４】図２４は、変形例に係る情報投映システムの構成例を示す機能ブロック図である。
【図２５】図２５は、変形例に係る情報投映システムの構成例を示す機能ブロック図である。
【図２６】図２６は、変形例に係る情報投映システムの構成例を示す機能ブロック図である。
【発明を実施するための形態】
【００１０】
以下に添付図面を参照して、この発明にかかる情報表示装置、質問入力装置およびシステムの最良な実施の形態を詳細に説明する。以下では、情報表示装置の一例として、映像をスクリーン等に映し出す情報投影装置（例えばプロジェクタ）を挙げて説明するが、これに限られるものではない。
【００１１】
ここで、図１は情報投映システム４００のシステム構成を示すブロック図、図２は情報投映装置１００および質問入力装置２００の構成を示す機能ブロック図である。本実施の形態にかかる情報投映システム４００は、情報投映装置１００と、複数のＰＣ（Personal  Computer）等の質問入力装置２００とを備え、それぞれがインターネットやＬＡＮ（Local  Area  Network）等のネットワーク３００に接続された構成となっている。
【００１２】
なお、情報投映装置１００は、スクリーンに文書データの内容を投映表示するプロジェクタ等が該当するが、これに限定されるものではない。「投映」とは、ＤＬＰ方式（光をＤＬＰチップで反射させて投映させる方式）や液晶方式（液晶に光を透過させて影を投映する方式。「投影」そのもの）に限らず、映像をスクリーン等に映し出すことを含む意味である。
【００１３】
まず、質問入力装置２００の詳細について説明する。質問入力装置２００は、図２に示すように、通信部２０１と、入力部２０２と、表示部２０３と、質問情報作成部２０４とを主に備えている。
【００１４】
通信部２０１は、情報投映装置１００との間で各種の情報や要求を送受信する。通信部２０１は、例えば後述する質問情報（図６参照）を情報投映装置１００に送信する。
【００１５】
表示部２０３は、通信部２０１を介して情報投映装置１００の記憶部１０３に記憶されている表示画像を参照し、表示する。
【００１６】
入力部２０２は、表示部２０３で表示されている画像に対する入力を受け付ける。例えば、入力部２０２は、表示部２０３で表示されている画像に対する質問表示位置、質問対象位置を指定する。また、入力部２０２は、表示部２０３で表示されている画像に対する質問内容について、テキストでの入力を受け付ける。
【００１７】
質問情報作成部２０４は、表示部２０３で表示されている画像に対し、入力部２０２によって入力された質問内容情報、質問対象位置情報、質問表示位置情報を基に、質問情報を作成する。
【００１８】
次に、情報投映装置１００の詳細について説明する。情報投映装置１００は、図２に示すように、通信部１０１と、操作部１０２と、記憶部１０３と、投映表示部１０４と、ページ管理部１０５と、質問管理部１０６と、質問画像作成部１０７とを主に備えている。
【００１９】
通信部１０１は、質問入力装置２００との間で各種の情報や要求を送受信する。通信部１０１は、例えば、質問入力装置２００から送信される質問情報を受信する。
【００２０】
投映表示部１０４は、各種の画像データを、ユーザによって指示された表示形態でスクリーンに投映表示する。
【００２１】
操作部１０２は、外部から情報投映装置１００に対する操作要求を受け付ける。例えば、操作部１０２は、投映表示部１０４への投映表示の中断の指示を、ユーザから受け付ける。また、操作部１０２は、投映表示部１０４への投映表示の中断の後に投映表示を再開することを示す再開の指示を、ユーザから受け付ける。
【００２２】
操作部１０２は、例えば、ボタン、リモコン受信部、および、ＩＣカードなどから情報を読取るカードリーダなどにより構成される入力デバイスである。なお、操作部１０２がキーボードを備えるように構成してもよい。
【００２３】
記憶部１０３は、ハードディスクドライブ装置（ＨＤＤ）等の記憶媒体であり、後述する文書データや、画像リスト等を記憶する。ここで、文書データには、プレゼンテーション資料作成ソフトウェアやワードプロセッサ等で生成されたデータ、あるいはこれらのデータから変換された表示用データ等が該当するが、これらに限定されるものではない。
【００２４】
ページ管理部１０５は、操作部１０２から質問表示要求があった場合、表示対象の質問を特定する。また、ページ管理部１０５は、特定した質問情報を基に、質問管理部１０６に質問画像作成要求を行い、対象の表示画像を取得する。
【００２５】
質問管理部１０６は、質問入力装置２００から質問情報を受信した場合、当該質問情報に対して識別管理情報である質問ＩＤや質問者ＩＤを付加する。また、質問管理部１０６は、質問入力装置２００から質問情報を受信した場合、当該質問情報に対して表示フラグなどを付加する。
【００２６】
質問画像作成部１０７は、質問情報に含まれる質問表示位置情報と質問対象位置情報を基に、質問画像の大きさを決定し、質問内容と質問者名を描画する。
【００２７】
次に、以上のように構成された本実施の形態の情報投映システム４００による質問情報の登録処理について説明する。図３は、質問情報の登録処理を示すシーケンス図である。
【００２８】
まず、質問入力装置２００は、入力部２０２から入力された表示画像取得の指示を、通信部２０１を介して情報投映装置１００に送信する（ステップＳ１）。
【００２９】
情報投映装置１００は、通信部１０１を介して表示画像取得の指示を受信すると（ステップＳ２）、受信した表示画像取得の指示を基に、ページ管理部１０５によって記憶部１０３から表示画像（表示用データ）を取得する（ステップＳ３）。ここで、取得する表示画像は、例えば画像Ｐ（図４参照）である。
【００３０】
その後、情報投映装置１００は、取得した表示画像（表示用データ）を、通信部１０１を介して質問入力装置２００に送信する（ステップＳ４）。
【００３１】
そして、質問入力装置２００は、通信部２０１を介して情報投映装置１００から表示画像を取得すると、取得した表示画像を表示部２０３により表示する（ステップＳ５）。
【００３２】
次いで、質問入力装置２００は、表示部２０３に表示された画像に対する入力部２０２を介した入力に基づき、質問情報作成部２０４において質問情報を作成する（ステップＳ６）。
【００３３】
ここで、図４は質問情報作成時の入力例を示す説明図である。図４に示すように、質問者は、表示部２０３に表示されている画像Ｐに対し、入力部２０２を用いて質問対象位置Ａと質問表示位置Ｂと、質問対象ページＣとを指定し、質問内容を入力する。例えば、モバイルＰＣなどの端末において、表示されている画像に対してマウスを用いて範囲を選択することにより、質問対象位置Ａと質問表示位置Ｂを指定する。この際、範囲を選択する順序により質問対象位置Ａの入力か、質問表示位置Ｂの入力かを判別する。マウスにより入力された質問対象／表示位置の絶対座標を基に、資料における相対座標を計算する。マウスにより入力された質問対象／表示位置の絶対座標を基に、資料における相対座標を計算する。計算された相対座標を質問情報の質問対象／表示位置情報とする。
【００３４】
このように質問対象位置Ａと質問表示位置Ｂを特定できる入力手段を持ち、質問対象位置と質問表示位置を質問者が指定できることにより、発表者が質問を理解しやすくなる。
【００３５】
上述のようにして質問内容などが入力されると、質問入力装置２００は、入力された質問内容情報、質問対象位置情報、質問表示位置情報、質問対象ページ情報を基に、質問情報作成部２０４において質問情報を作成し、通信部２０１を介して情報投映装置１００に質問情報を送信する（ステップＳ７）。
【００３６】
ここで、質問入力装置２００側で作成された質問情報の一例を図５に示す。図５に示す質問情報の例は、「Ichiro」さんの質問入力装置２００において、ページ“１”とページ“５”とが質問対象ページになっており、質問内容情報、質問対象位置情報、質問表示位置情報が入力されている。質問内容情報は、質問者の質問内容を示すものである。質問対象ページ情報は、質問者が質問したいページを示すものである。質問対象位置情報は、質問者が質問したい箇所の位置情報を示すものである。質問表示位置情報は、質問者が質問内容を表示したい場所の位置情報を示すものである。
【００３７】
加えて、質問情報には、優先度情報、質問者名表示可否情報、質問表示優先度情報を含めることができる。
【００３８】
優先度情報は、質問者が質問の優先度を指定できるものである。例えば、優先度情報は「３」が最も優先度が高く、数が小さくなるにつれ、優先度が低くなる。
【００３９】
質問者名表示可否情報は、質問者が名前を表示するか否かを指定できるものである。質問者名表示可否情報が可である場合は、質問内容とともに質問者名を描画するのに対し、質問者名表示可否情報が否である場合は、質問内容のみを描画する。
【００４０】
質問表示優先度情報は、質問が表示領域内に入らない場合、表示領域内に収めるために字を小さくするか、小さくせずに質問の一部を表示するか、を質問者が指定できるものである。例えば、質問表示優先度情報が質問内容優先の場合は、質問が表示領域内に入らない際に、表示領域内に収めるためにfontサイズを小さくする。表示優先の場合は小さくせずに質問の一部を表示する。これにより、画像データと質問内容を同一投映領域に表示する事により、指摘ポイントを明確にすることができ、更に質問内容表示場所を特定の場所に指定でき、フォントサイズを調整することで、１ページに収めることが可能である。
【００４１】
そして、情報投映装置１００は、通信部１０１を介して質問情報を受信すると、質問管理部１０６によって当該質問情報に対して質問ＩＤ、質問者ＩＤ、表示フラグなどを付加登録して質問情報を更新する（ステップＳ８）。質問ＩＤは、質問を受け付けた順番に割振るものとする。また、質問者ＩＤは、質問情報を送信した質問入力装置２００を基に、付加するものとする。
【００４２】
その後、情報投映装置１００は、質問情報を記憶部１０３に保存する（ステップＳ９）。
【００４３】
ここで、図６は質問情報のデータ構造を示す模式図である。図６に示すように、質問情報は、質問ＩＤ、質問者ＩＤ、表示フラグ、質問内容情報、質問対象ページ情報、質問表示位置情報、質問対象位置情報などを含んでいる。質問内容情報、質問対象ページ情報、質問表示位置情報、質問対象位置情報は、上述したように、質問者の入力を基に質問入力装置２００で作成される。また、図６に示すように、質問情報には、優先度情報、質問者名表示可否情報、質問表示優先度情報などを含めることができる。
【００４４】
質問ＩＤ、質問者ＩＤ、表示フラグは、上述したように、情報投映装置１００の質問管理部１０６によって質問情報に対して付加される。質問ＩＤは、質問情報の識別子であり、質問を受け付けた順に質問管理部１０６によって割り振られる。質問者ＩＤは、質問者の識別子であり、質問情報を送信した質問入力装置２００を基に付加される。
【００４５】
表示フラグは、質問情報が質問画像として表示されたかどうかを示すフラグである。フラグの種類としては、「未表示」、「表示中」、「表示済み」、表示済みだが要再確認を示す「表示済み要チェック」というフラグがある。表示フラグは、質問受付時に、質問管理部１０６によって「未表示」フラグが立てられる。その後、「未表示」フラグは、情報投映装置１００のページ管理部１０５により、「表示中」、「表示済み」、「表示済み要チェック」の状態に合わせて変更される。表示フラグは、０が「未表示」、１が「表示中」、２が「表示済み」、３が「表示済み要チェック」を表している。
【００４６】
例えば、発表者は、質問を再確認したい場合、質問時に操作部１０２を用いて印をつける。この場合、ページ管理部１０５から質問管理部１０６に印が通知され、質問管理部１０６によって質問情報の表示フラグが表示中（表示フラグ＝１）から（表示フラグ＝３）に変えられる。
【００４７】
ここで、質問情報の一例を図７に示す。例えば、図７（ａ）に示す質問情報の例は、「Ichiro」さんの質問入力装置２００において、質問対象ページ情報、質問内容情報、質問表示位置情報、質問対象位置情報、優先度情報、質問者名表示可否情報、質問表示優先度情報が作成されたものであって、情報投映装置１００で質問ＩＤ（「１」）が質問を受け付けた順に振られ、質問者ＩＤ（「Ichiro」）、表示フラグ（０）が付加されたものである。
【００４８】
次に、情報投映装置１００における質問画像と表示画像との合成処理について説明する。図８は、質問画像と表示画像との合成処理を示すシーケンス図である。
【００４９】
情報投映装置１００は、プレゼンテーション終了後の質問開始以降において、操作部１０２からの質問表示要求を受け付けると（ステップＳ１１）、ページ管理部１０５から質問管理部１０６に対して質問情報一覧取得要求を送信し（ステップＳ１２）、質問管理部１０６によって記憶部１０３に格納されている質問情報一覧を取得し（ステップＳ１３）、ページ管理部１０５に送信する（ステップＳ１４）。
【００５０】
その後、情報投映装置１００は、ページ管理部１０５で表示対象の質問情報を特定し（ステップＳ１５）、その情報を基に質問画像作成部１０７に質問画像作成要求する（ステップＳ１６）。
【００５１】
ここで、表示対象となる質問情報の特定処理について図９のフローチャートを参照して説明する。図９に示すように、ページ管理部１０５は、プレゼンテーション終了後において最初に質問表示要求を受け付けた質問表示開始時には（ステップＳ３１のＹｅｓ）、取得した質問情報一覧について質問情報を並べ替えた後（ステップＳ３２）、表示フラグを確認し（ステップＳ３３）、表示対象の質問情報を特定する（ステップＳ３４）。
【００５２】
一方、ページ管理部１０５は、次の質問表示要求を受け付けた際には（ステップＳ３１のＮｏ）、質問情報の並べ替えをせずに、表示フラグを確認し（ステップＳ３３）、表示対象の質問情報を特定する（ステップＳ３４）。
【００５３】
ここで、質問情報の並べ替えについて説明する。並べ替えを考慮しない場合には、質問ＩＤ順に質問情報を表示する。並べ替えを考慮しなければ、図７（ａ）に示した質問情報の例においては、質問開始時に質問表示要求された際には、質問ＩＤ＝１である質問を表示対象とし、次の質問表示要求された際には、前に表示されていた質問の次の質問情報（７に示した質問情報の例の場合は、質問ＩＤ＝２）を表示対象とすることになる。 
【００５４】
しかしながら、一般には、同じページに対しての質問の場合には議論が繋がっていることが考えられる。そこで、第１の並べ替え手法としては、同じ質問対象ページ情報が連続になるように、質問情報を並べ替えることが挙げられる。すなわち、図７（ｂ）に示した質問情報の例においては、１番目に質問ＩＤ＝１の質問（質問対象ページ＝１）を表示対象とし、２番目に質問ＩＤ＝３の質問（質問対象ページ＝１）を表示対象とし、３番目に質問ＩＤ＝２の質問（質問対象ページ＝２）を表示対象とし、４番目に質問ＩＤ＝４の質問（質問対象ページ＝５）を表示対象とする。これにより、会議の質疑応答の効率を向上させることができる。
【００５５】
別の並べ替え手法（第２の並べ替え手法）としては、質問対象ページが１ページから順番に、かつ連続になるように、質問情報を並べ替えることが挙げられる。すなわち、図７（ｃ）に示した質問情報の例においては、１番目に質問ＩＤ＝１の質問（質問対象ページ＝１）を表示対象とし、２番目に質問ＩＤ＝３の質問（質問対象ページ＝２）を表示対象とし、３番目に質問ＩＤ＝２の質問（質問対象ページ＝３）を表示対象とする。
【００５６】
別の並べ替え手法（第３の並べ替え手法）としては、同じ質問者が連続になるように、質問情報を並べ替えることが挙げられる。すなわち、図７（ａ）に示した質問情報の例においては、１番目に質問ＩＤ＝１の質問（質問者＝Ichiro）が、２番目に質問ＩＤ＝４の質問（質問者＝Ichiro）を表示対象とし、３番目に質問ＩＤ＝２の質問（質問者＝Jiro）を表示対象とし、４番目に質問ＩＤ＝３の質問（質問者＝Saburo）を表示対象とする。
【００５７】
別の並べ替え手法（第４の並べ替え手法）としては、質問表示開始要求が来た際に質問情報全体で質問対象ページごとに質問数を数え、数えた質問数を基に、質問数が多い質問対象ページ順になるように質問情報を並べ替えることが挙げられる。すなわち、図７（ｂ）に示した質問情報の例においては、１番目に質問ＩＤ＝１の質問（質問対象ページ＝１）を表示対象とし、２番目に質問ＩＤ＝３の質問（質問対象ページ＝１）を表示対象とし、３番目に質問ＩＤ＝２の質問（質問対象ページ＝２（２番目に多い質問対象ページのうち、質問ＩＤが最も小さい））を表示対象とし、４番目に質問ＩＤ＝４の質問（質問対象ページ＝５）を表示対象とする。
【００５８】
別の並べ替え手法（第５の並べ替え手法）としては、質問情報に優先度情報を付加することにより、質問の優先度が高い順に質問情報を並べ替えることが挙げられる。例えば、図１０に示すような質問情報の例においては、１番目に質問ＩＤ＝４の質問（優先度＝３）を表示対象とし、２番目に質問ＩＤ＝３の質問（優先度＝２）を表示対象とし、３番目に質問ＩＤ＝１の質問（優先度＝１）を表示対象とし、４番目に質問ＩＤ＝２の質問（優先度＝１）を表示対象とする。これにより、重要な質問に対して優先的に回答を行うことができるので、会議の質疑応答の質を向上させることができる。
【００５９】
また、表示フラグは、以下のように利用することができる。例えば、プレゼンテーション終了後の質問開始時においては、全ての質問が未表示（表示フラグ＝０）なので、並べ替えた質問情報のうち、最初の質問を表示対象の質問情報として特定し、表示フラグ＝１とする。
【００６０】
また、質問再開時に質問表示要求された際には、並べ替えた質問情報のうち表示フラグ＝０である最初の質問を表示対象の質問情報として特定し、表示フラグ＝１とする。
【００６１】
さらに、次の質問表示を要求された際には、まず表示中（表示フラグ＝１）の質問を探し、表示フラグ＝２に変更する。未表示（表示フラグ＝０）である質問が存在する場合は、並べ替えた質問情報のうち表示フラグ＝０である最初の質問を表示対象の質問情報として特定し、表示フラグ＝１とする。未表示（表示フラグ＝０）である質問が存在しない場合は、並べ替えた質問情報のうち表示済み要チェック（表示フラグ＝３）である最初の質問を表示対象の質問情報として特定し、表示フラグ＝１とする。例えば、図１１に示すような質問情報の例においては、１番目に質問ＩＤ＝３の質問（表示フラグ＝０）を表示対象とし、２番目に質問ＩＤ＝１の質問（表示フラグ＝３）を表示対象とする。
【００６２】
このように質問情報に表示フラグを付加することにより、未投映や、投映済みだが再確認が必要な質問情報について、質疑応答の続きを実施することができる。
【００６３】
図８に戻り、情報投映装置１００は、質問画像作成部１０７において質問情報を基に質問画像を作成する（ステップＳ１７）。図１２は、質問画像の作成手法を示す模式図である。質問画像の作成手法としては、図１２の（ａ）に示すように、まず、質問対象位置情報を基に質問対象位置を示す画像の大きさを決定して画像を作成する。次に、図１２の（ｂ）に示すように、質問表示位置情報を基に、質問を表示する画像の大きさを決定し、質問内容と質問者名を描画する。
【００６４】
情報投映装置１００は、このようにして質問画像作成部１０７で作成された質問画像を、記憶部１０３に保存する（ステップＳ１８）。
【００６５】
次いで、情報投映装置１００は、ページ管理部１０５によって記憶部１０３に対して質問画像取得要求を送信するとともに（ステップＳ１９）、表示画像取得要求を送信する（ステップＳ２０）。
【００６６】
そして、情報投映装置１００は、記憶部１０３から対象質問の質問画像と表示画像を取得すると、ページ管理部１０５によって表示画像に質問画像を合成し（ステップＳ２１）、合成された画像を投映表示部１０４に対して表示要求する（ステップＳ２２）。
【００６７】
ここで、表示画像に対する質問画像の合成処理について図１３のフローチャートを参照して説明する。図１３に示すように、ページ管理部１０５は、まず、質問対象位置情報を基に、質問対象部分の枠画像を作成する（ステップＳ４１）。続くステップＳ４２では、ページ管理部１０５は、質問内容が質問表示領域に入るか否かを判断する。
【００６８】
ページ管理部１０５は、質問内容が質問表示領域に入りきらないと判断し（ステップＳ４２のＹｅｓ）、かつ、質問表示優先度情報が質問内容優先である場合には（ステップＳ４３のＹｅｓ）、質問表示位置情報を基に、fontサイズを小さくし（ステップＳ４４）、質問表示位置情報を基に、質問内容と質問者名を描画する（ステップＳ４５）。このようにするのは、質問内容が質問表示領域に入りきらない場合に、質問内容のfontサイズを小さくして表示領域内に収めるためである。
【００６９】
一方、質問内容が質問表示領域に入ると判断した場合（ステップＳ４２のＮｏ）、質問内容が質問表示領域に入りきらなくても質問表示優先度情報が表示優先である場合には（ステップＳ４３のＮｏ）、小さくせずに質問内容の一部を、質問者名とともに描画する（ステップＳ４５）。
【００７０】
続いて、上述したような処理に基づく質問画像と表示画像との合成画像の実施例について説明する。
【００７１】
＜実施例１＞質問ＩＤ順
図１４は、プレゼンテーション実施中の表示画像Ｐと、プレゼンテーション後に表示される合成画像Ｘとを示したものである。図１４に示すように、プレゼンテーション後に表示される合成画像Ｘには、質問画像（質問箇所を示す画像と質問内容を示す画像）Ｚが図７（ａ）に示す質問ＩＤ順に合成されて投映表示部１０４により表示される。
【００７２】
また、図１４に示すように、ページ管理部１０５は、１つの質問ごとに質問画像Ｚを作成する。このように質問内容が質問箇所に重なることなく表示することにより、質問対象箇所が明確になり、発表者が質問内容を理解しやすくなる。
【００７３】
＜実施例２＞同じ質問対象ページ毎に並べる
図１５は、プレゼンテーション後に表示される合成画像Ｘを示したものである。図１５に示すように、同じ質問対象ページ毎にまとめるように並べ替えをすることで、プレゼンテーション後に表示される合成画像Ｘには、同じ質問対象ページ毎にまとめた質問画像（質問箇所を示す画像と質問内容を示す画像）Ｚが合成されて投映表示部１０４により表示される。すなわち、図７（ｂ）に示した質問情報の例において、１番目に質問ＩＤ＝１の質問（質問対象ページ＝１）を表示対象とし、２番目に質問ＩＤ＝３の質問（質問対象ページ＝１）を表示対象とし、３番目に質問ＩＤ＝２の質問（質問対象ページ＝２）を表示対象とし、４番目に質問ＩＤ＝４の質問（質問対象ページ＝５）を表示対象とする。これにより、ページ管理部１０５において、次の画像を表示する際に、直前に表示済みの画像と同様の質問があった場合は、その質問画像Ｚを作成することで、同じページに対しての質問の場合、議論が繋がっている可能性があることから、同じページに対しての質問を続けて表示することにより、会議の質疑応答の効率を向上させることができる。
【００７４】
＜実施例３＞質問対象ページが１ページから順番に、かつ連続になるように並べる
図１６は、プレゼンテーション後に表示される合成画像Ｘを示したものである。図１６に示すように、質問対象ページが１ページから順番に、かつ連続になるように並べ替えをすることで、プレゼンテーション後に表示される合成画像Ｘには、１ページから順番に、かつ連続になるように質問画像（質問箇所を示す画像と質問内容を示す画像）Ｚが合成されて投映表示部１０４により表示される。すなわち、図７（ｃ）に示した質問情報の例においては、１番目に質問ＩＤ＝１の質問（質問対象ページ＝１）を表示対象とし、２番目に質問ＩＤ＝３の質問（質問対象ページ＝２）を表示対象とし、３番目に質問ＩＤ＝２の質問（質問対象ページ＝３）を表示対象とする。このように、ページ管理部１０５において、ページ番号の小さい順に、画像を作成することで、質疑応答の順番をプレゼンテーションと同じすることにより、プレゼンテーションの流れと同様に質疑応答を行うことができるので、発表者が回答しやすくする。
【００７５】
＜実施例４＞同じ質問者が連続になるように並べる
図１７は、プレゼンテーション後に表示される合成画像Ｘを示したものである。図１７に示すように、同じ質問者が連続になるように並べ替えをすることで、プレゼンテーション後に表示される合成画像Ｘには、同じ質問者が連続になるように質問画像（質問箇所を示す画像と質問内容を示す画像）Ｚが合成されて投映表示部１０４により表示される。すなわち、図７（ａ）に示した質問情報の例においては、１番目に質問ＩＤ＝１の質問（質問者＝Ichiro）が、２番目に質問ＩＤ＝４の質問（質問者＝Ichiro）を表示対象とし、３番目に質問ＩＤ＝２の質問（質問者＝Jiro）を表示対象とし、４番目に質問ＩＤ＝３の質問（質問者＝Saburo）を表示対象とする。このように、ページ管理部１０５において、同じ質問者の質問を連続した順番として、画像を作成して質問者の質問を連続して表示することにより、同じ質問者に対する回答をまとめて実施することができ、会議の質疑応答の効率を向上させることができる。
【００７６】
＜実施例５＞質問数が多いページ順に並べる
図１８は、プレゼンテーション後に表示される合成画像Ｘを示したものである。図１８に示すように、質問数が多い質問対象ページ毎にページ順に並べ替えをすることで、プレゼンテーション後に表示される合成画像Ｘには、質問数が多い質問対象ページ毎にページ順に質問画像Ｚ（質問箇所を示す画像と質問内容を示す画像）が合成されて投映表示部１０４により表示される。すなわち、図７（ｂ）に示した質問情報の例においては、１番目に質問ＩＤ＝１の質問（質問対象ページ＝１）を表示対象とし、２番目に質問ＩＤ＝３の質問（質問対象ページ＝１）を表示対象とし、３番目に質問ＩＤ＝２の質問（質問対象ページ＝２（２番目に多い質問対象ページのうち、質問ＩＤが最も小さい））を表示対象とし、４番目に質問ＩＤ＝４の質問（質問対象ページ＝５）を表示対象とする。このように、ページ管理部１０５において、質問数が多いページを表示する先に表示することにより、聴衆者の興味があるページを優先的に表示し、会議の質疑応答の質を向上させることができる。
【００７７】
＜実施例６＞質問情報に優先度情報を付加
図１９は、プレゼンテーション後に表示される合成画像Ｘを示したものである。図１９に示すように、質問情報に優先度情報を付加することで、プレゼンテーション後に表示される合成画像Ｘには、質問の優先度が高い順に質問画像Ｚ（質問箇所を示す画像と質問内容を示す画像）が合成されて投映表示部１０４により表示される。すなわち、図１０に示した質問情報の例においては、１番目に質問ＩＤ＝４の質問（優先度＝３）を表示対象とし、２番目に質問ＩＤ＝３の質問（優先度＝２）を表示対象とし、３番目に質問ＩＤ＝１の質問（優先度＝１）を表示対象とし、２番目に質問ＩＤ＝２の質問（優先度＝１）を表示対象とする。これにより、重要な質問に対して優先的に回答を行うことができるので、会議の質疑応答の質を向上させることができる。
【００７８】
＜実施例７＞表示フラグを利用
図２０は、プレゼンテーション後に表示される合成画像Ｘを示したものである。図２０に示すように、表示フラグを利用してプレゼンテーション後に表示される合成画像Ｘは、図１１に示すような質問情報の例において、１番目に質問ＩＤ＝３の質問（表示フラグ＝０）を表示対象とし、２番目に質問ＩＤ＝１の質問（表示フラグ＝３）を表示対象としたものである。このように表示フラグを利用することで、未投映や、投映済みだが再確認が必要な質問情報について、質疑応答の続きを実施することができる。
【００７９】
＜実施例８＞質問者名表示可否情報を利用
図２１は、プレゼンテーション後に表示される合成画像Ｘを示したものである。図２１に示すように、質問者名表示可否情報を利用してプレゼンテーション後に表示される合成画像Ｘは、図７に示すような質問情報の例において、質問者名表示可否情報が可である質問ＩＤ＝２の質問では、質問者（Jiro）の名前が描画されているのに対し、質問者名表示可否情報が否である質問ＩＤ＝１の質問では、質問者の名前が描画されていない。このように質問者名表示可否情報を利用することで、質問ごとに質問者の表示／非表示を決めることができるので、質問者が匿名で質問することが可能となる。
【００８０】
＜実施例９＞質問表示優先度情報を利用
図２２は、プレゼンテーション後に表示される合成画像Ｘを示したものである。図２２に示すように、質問表示優先度情報を利用してプレゼンテーション後に表示される合成画像Ｘは、図７に示すような質問情報の例において、質問ＩＤ＝１の質問（質問表示優先度情報＝質問内容優先）では、文字を小さくして質問全体を領域内に入れているのに対し、質問ＩＤ＝２の質問（質問表示優先度情報=表示優先）では、文字の大きさをそのままに質問を途中まで表示している。このように質問表示優先度情報を利用することで、質問毎に質問表示領域と質問全体表示の優先度を決めることができるので、質問ごとに質問者が質問領域に入りきらない質問を入力した場合、質問表示領域を優先するか、質問内容の全体表示を優先するかを決めることができる。
【００８１】
このように本実施の形態によれば、質疑応答時の質問順番を工夫することと、ページ内の質問対象部分を明確にして、発表者が質問内容を理解しやすくすることにより、効率的に議論できる。
【００８２】
本実施形態の情報投映装置１００は、ＣＰＵなどの制御装置、ＲＯＭ（Read  Only  Memory）やＲＡＭなどの記憶装置、ＨＤＤ、ＣＤドライブ装置などの外部記憶装置などを備えており、通常のコンピュータを利用したハードウェア構成となっている。
【００８３】
本実施形態の情報投映装置１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００８４】
また、本実施形態の情報投映装置１００で実行されるプログラムを、インターネット等のネットワークに接続されたコンピュータ上に格納し、ネットワーク経由でダウンロードさせることにより提供するように構成しても良い。また、本実施形態の情報投映装置１００で実行されるプログラムをインターネット等のネットワーク経由で提供または配布するように構成しても良い。
【００８５】
また、本実施形態のプログラムを、ＲＯＭ等に予め組み込んで提供するように構成してもよい。
【００８６】
本実施形態の情報投映装置１００で実行されるプログラムは、上述した各部（通信部１０１、操作部１０２、記憶部１０３、投映表示部１０４、ページ管理部１０５、質問管理部１０６、質問画像作成部１０７）を含むモジュール構成となっており、実際のハードウェアとしてはＣＰＵ（プロセッサ）が上記記憶媒体からプログラムを読み出して実行することにより上記各部が主記憶装置上にロードされ、通信部１０１、操作部１０２、記憶部１０３、投映表示部１０４、ページ管理部１０５、質問管理部１０６、質問画像作成部１０７が主記憶装置上に生成されるようになっている。
【００８７】
なお、本実施の形態においては、情報投映システム４００を情報投映装置１００と質問入力装置２００とをネットワーク３００に接続した構成としたが、これに限るものではなく、図２３に示すように、質問入力装置２００の機能を情報投映装置１００に備えるようにしても良い。
【００８８】
また、例えば図２４に示すように、情報投映システムは、質問入力装置２００と、情報処理装置５００と、情報表示装置６００とを備える構成であってもよい。
【００８９】
情報処理装置５００は、上述の情報投映装置１００が有する複数の機能のうち、投映表示部１０４以外の機能（通信部１０１、操作部１０２、記憶部１０３、ページ管理部１０５、質問管理部１０６、質問画像作成部１０７）と、情報表示装置６００と通信する通信部１０８とを備える。ページ管理部１０５は、上述の合成画像（対象質問の質問画像と表示画像とを合成した画像）を作成した場合、その合成画像の表示要求を、通信部１０８を介して情報表示装置６００へ送信する。
【００９０】
情報表示装置６００は、上述の投映表示部１０４と、情報処理装置５００と通信する通信部６０１とを備える。投映表示部１０４は、合成画像の表示要求を通信部６０１で受信した場合、その表示要求に従って、合成画像をスクリーンに投映表示する。
【００９１】
また、例えば図２５に示すように、情報表示装置６００が、投影表示部１０４の代わりに、各種の表示画像を画面上に表示する表示部６０２を備える構成であってもよい。すなわち、情報表示装置６００は、プロジェクタなどの投映装置に限らず、例えば大型のディスプレイデバイスなどであってもよい。また、例えば図２６に示すように、上述の情報処理装置５００が設けられずに、情報表示装置６００が、上述の情報処理装置５００が有する各機能（通信部１０１、操作部１０２、記憶部１０３、ページ管理部１０５、質問管理部１０６、質問画像作成部１０７）を有する構成とすることもできる。
【符号の説明】
【００９２】
１００    情報投映装置
１０２    操作部
１０４    投映表示部
１０５    ページ管理部
１０６    質問管理部
１０７    質問画像作成部
２００    質問入力装置
２０１    通信部
２０２    入力部
２０４    質問情報作成部
【先行技術文献】
【特許文献】
【００９３】
【特許文献１】特開２０１０−１４６１１６号公報
【図１】
0005978597.tif 000002
【図２】
0005978597.tif 000003
【図３】
0005978597.tif 000004
【図４】
0005978597.tif 000005
【図５】
0005978597.tif 000006
【図６】
0005978597.tif 000007
【図７】
0005978597.tif 000008
【図８】
0005978597.tif 000009
【図９】
0005978597.tif 000010
【図１０】
0005978597.tif 000011
【図１１】
0005978597.tif 000012
【図１２】
0005978597.tif 000013
【図１３】
0005978597.tif 000014
【図１４】
0005978597.tif 000015
【図１５】
0005978597.tif 000016
【図１６】
0005978597.tif 000017
【図１７】
0005978597.tif 000018
【図１８】
0005978597.tif 000019
【図１９】
0005978597.tif 000020
【図２０】
0005978597.tif 000021
【図２１】
0005978597.tif 000022
【図２２】
0005978597.tif 000023
【図２３】
0005978597.tif 000024
【図２４】
0005978597.tif 000025
【図２５】
0005978597.tif 000026
【図２６】
0005978597.tif 000027